(57)【要約】【課題】体に負担がかからない姿勢で、地面に置いたり、持ち上げたりできる巻取り器を提供する。【解決手段】巻取り器１は、２箇所が略９０°に湾曲して略Ｕ字形状を有する第１の金属製パイプ２と、２箇所が略９０°に湾曲して略Ｕ字形状を有すると共に、第１の金属製パイプ２に対して略Ｘ字状に立体交差して回動可能に結合した第２の金属製パイプ３と、中心に設けられた貫通孔に第１の金属製パイプ２を通して第１の金属製パイプ２の一端に着脱可能に取付けられたリール４と、リール４を回転させるハンドル６とを備える。【選択図】図１
2012250778.tif 000002
【特許請求の範囲】
【請求項１】
略９０°に湾曲すると共に、リールが取付け可能に構成された第１の棒状部材と、
略９０°に湾曲すると共に、前記第１の棒状部材に対して立体交差して回動可能に結合した第２の棒状部材とを備え、
前記第１の棒状部材及び前記第２の棒状部材は、互いの湾曲部間の距離が変動するよう回動する
巻取り器。
【請求項２】
前記第１の棒状部材の一端に取付けられると共に、前記第１の棒状部材に取付けられるリールの厚さの少なくとも半分の長さを有するスペーサーを備える
請求項１に記載の巻取り器。
【請求項３】
前記第１の棒状部材及び前記第２の棒状部材はそれぞれ、略Ｕ字形状を有する
請求項１または請求項２に記載の巻取り器。
【発明の詳細な説明】
【技術分野】
【０００１】
本発明は巻取り器に関する。詳しくは、例えば、牛などの畜産動物が牧場の外へ脱出することを防止したり、田畑に猪や鹿などの野生動物が侵入することを防止したりするために、牧場や田畑の周囲に設置される電気柵に使用される電線を、繰り出したり巻き取ったりする巻取り器に係るものである。
【背景技術】
【０００２】
牛などの畜産動物が牧場の外へ脱出することを防止したり、田畑に猪や鹿などの野生動物が侵入することを防止したりするために、電気柵が多く使用されている。
【０００３】
電気柵は、牧場や田畑の周囲に張り巡らせた裸電線に、電源装置内の電圧発生器から発生した電圧が印加され、この裸電線に接触した、牛などの畜産動物、並びに鹿や猪などの野生動物を、印加された電圧の電撃によって撃退するための柵である。
【０００４】
また、電線を張設するときは、図７に示すような、電線リール付き巻取り器１０１を用いており、電線を支柱から取外すときには、電線がリールに巻き付けられていない空リール付き巻取り器を用いていた。
【０００５】
図７に示すように、従来の電線リール付き巻取り器１０１は、略直線状の第１の金属製パイプ１０２と、略Ｕ字形状を有すると共に第１の金属製パイプ１０２の一端に接合された第２の金属製パイプ１０３とを備える。
【０００６】
また、電線リール付き巻取り器１０１は、中心に設けられた貫通孔１０４Ａに第１の金属製パイプ１０２を通して第１の金属製パイプ１０２に取付けられるリール１０４を備える。また、リール１０４には、電線１０７が巻き付けられている。
【０００７】
また、電線リール付き巻取り器１０１は、中心に設けられた貫通孔に第１の金属製パイプ１０２を通して第１の金属製パイプ１０２に取付けられた、円柱形状のスペーサー１０５を備える。
【０００８】
また、スペーサー１０５には、リール１０４がスペーサー１０５の表面上に沿って、第２の金属製パイプ１０３の方向へ移動しないようストッパーの役割をするフランジ１０５Ａが設けられている。ここで、フランジ１０５Ａの直径は、リール１０４の貫通孔１０４Ａの内径よりも大きく、また、スペーサー１０５の直径は、リール１０４の貫通孔１０４Ａの内径と略同じである。
【０００９】
また、電線リール付き巻取り器１０１は、貫通孔１０６Ｃに第１の金属製パイプ１０２を通して第１の金属製パイプ１０２に取付けられると共に、リール１０４の貫通孔１０４Ａに嵌合する円柱形状の取付け凸部１０６Ａを有するハンドル１０６を備える。
【００１０】
また、リール１０４には、ハンドル１０６の円柱形状の引掛け凸部１０６Ｂが挿入される引掛け凹部１０４Ｂが設けられており、引掛け凸部１０６Ｂが引掛け凹部１０４Ｂに挿入されることで、ハンドル１０６と共にリール１０４が、第１の金属製パイプ１０２を中心として回転する。
【００１１】
また、取付け凸部１０６Ａの直径は、リール１０４の貫通孔１０４Ａの内径と略同じである。
【００１２】
また、第１の金属製パイプ１０２の開放端には、第１の金属製パイプ１０２の直径方向に貫通したピン孔１０２Ａが設けられている。
【００１３】
また、スペーサー１０５の位置まで第１の金属製パイプ１０２をリール１０４の貫通孔１０４Ａに通すと共に、ハンドル１０６の取付け凸部１０６Ａを貫通孔１０４Ａに嵌合し、さらに第１の金属製パイプ１０２をハンドル１０６の貫通孔１０６Ｃに通した状態で、第１の金属製パイプ１０２の開放端は露出するので、ピン孔１０２Ａに留めピン１０８を挿入することで、ハンドル１０６や、リール１０４が、第１の金属製パイプ１０２から抜け落ちることを防止している。
【００１４】
また、電線などの大重量物の巻取りに使用されるリールとして、例えば特許文献１には、発泡体製リールが記載されている。
即ち、特許文献１には、合成樹脂のビーズ発泡体からなる一対の側板部材と、コア部材とからなる発泡体製リールにおいて、側板部材及び／またはコア部材の表面に、ウレタン樹脂皮膜が塗布されている発泡体製リールが記載されている。
【００１５】
ところで、電線リール付き巻取り器から電線を繰り出して電線を電気柵の支柱の碍子に取付ける場合、作業者は、電線の張設場所において、ハンドルが付いている面を上にして、電線リール付き巻取り器を地面に置く。そして、電線を電気柵の支柱の碍子に取付けた後は、作業者は、電線リール付き巻取り器を持ち上げて、次の支柱へ歩きながら電線を繰り出していく。
【００１６】
また、空リール付き巻取り器に電線を巻き取って電線を電気柵の支柱の碍子から取外す場合、作業者は、電線の取外し場所において、ハンドルが付いている面を上にして、空リール付き巻取り器を地面に置く。そして、電線を電気柵の支柱の碍子から取外した後は、作業者は、空リール付き巻取り器を持ち上げて、次の支柱へ歩きながら電線を巻き取っていく。
【先行技術文献】
【特許文献】
【００１７】
【特許文献１】特開平８−２６８６４７号公報
【発明の概要】
【発明が解決しようとする課題】
【００１８】
しかし、このような従来の電線リール付き巻取り器や空リール付き巻取り器を用いる場合、次のような問題点がある。
【００１９】
図８に示すように、作業者は電線の張設場所において、電線リール付き巻取り器１０１を地面に置くとき、いったん腰を深く曲げながら、掴んでいるパイプが上を向くように手首をひねった状態で置かねばならない。また、電線を電気柵の支柱の碍子に取付けた後は、地面に置かれた電線リール付き巻取り器１０１を持ち上げるために、作業者は、いったん腰を深く曲げながら、上に向いたパイプを、手首をひねった状態で掴み上げなければならない。
【００２０】
また、作業者は、電線の取外し場所において、空リール付き巻取り器を地面に置くとき、腰を深く曲げてから、掴んでいるパイプが上を向くように手首をひねった状態で置かねばならない。また、電線を電気柵の支柱の碍子から取外した後は、地面に置かれた空リール付き巻取り器を持ち上げるために、作業者は、腰を深く曲げてから、上に向いたパイプを、手首をひねった状態で掴み上げなければならない。
【００２１】
このように、従来の巻取り器では、作業者は電線の取付けや取外しをする際に、何度も腰を深く曲げてから、パイプが上に向くように手首をひねった状態で巻取り器を地面に置いたり、上に向いたパイプを、手首をひねった状態で掴み上げたりするので、苦しい姿勢をとりながら手首にも力を入れなければならなかった。
【００２２】
本発明は、以上の点に鑑みて創案されたものであり、体に負担がかからない姿勢で、地面に置いたり、持ち上げたりできる巻取り器を提供することを目的とする。
【課題を解決するための手段】
【００２３】
上記の目的を達成するために、本発明の巻取り器は、略９０°に湾曲すると共に、リールが取付け可能に構成された第１の棒状部材と、略９０°に湾曲すると共に、前記第１の棒状部材に対して立体交差して回動可能に結合した第２の棒状部材とを備え、前記第１の棒状部材及び前記第２の棒状部材は、互いの湾曲部間の距離が変動するよう回動する。
【００２４】
ここで、略９０°に湾曲すると共に、リールが取付け可能に構成された第１の棒状部材と、略９０°に湾曲すると共に、第１の棒状部材に対して立体交差して回動可能に結合した第２の棒状部材とによって、例えば第１の棒状部材と第２の棒状部材とを略Ｘ字状に立体交差させて、巻取り器を地面に立たせた状態で置くことができる。
【００２５】
また、第１の棒状部材及び第２の棒状部材は、互いの湾曲部間の距離が変動するよう回動するので、使用しないときには、互いの湾曲部間の距離を小さくして折りたたむことができる。
なお、リールが取付けられる前の状態でも、例えば第１の棒状部材に直接、電線を巻き付けるなどして、巻取り器として機能できる。
【００２６】
また、本発明の巻取り器は、第１の棒状部材の一端に取付けられると共に、第１の棒状部材に取付けられるリールの厚さの少なくとも半分の長さを有するスペーサーを備えるものとすることができる。
【００２７】
この場合、リールを支持する面積が、半分未満の長さを有するスペーサーよりも大きいので、リールが第１の棒状部材の一端に対して傾くことを防止でき、ハンドルをリールに取付けやすい。
【００２８】
また、本発明の巻取り器において、第１の棒状部材及び前記第２の棒状部材はそれぞれ、略Ｕ字形状を有する場合、略Ｌ字形状を有するときよりも持ちやすく、リールを取付けやすい。
【発明の効果】
【００２９】
本発明に係る巻取り器は、体に負担がかからない姿勢で、地面に置いたり、持ち上げたりできる。
【図面の簡単な説明】
【００３０】
【図１】本発明の巻取り器の一例を示す概略図である。
【図２】本発明の巻取り器の概略分解図である。
【図３】図２で示された本発明の巻取り器の組み立てられた状態を示す概略図である。
【図４】本発明の巻取り器の折りたたんだ状態を示す概略図である。
【図５】本発明の巻取り器の他の例を示す概略図である。
【図６】本発明の巻取り器を作業者が掴む様子を示す概略図である。
【図７】従来の巻取り器の概略分解図である。
【図８】従来の巻取り器を作業者が掴む様子を示す概略図である。
【図９】スペーサーの長さがリールの厚さの半分未満の場合の巻取り器を示す概略図である。
【発明を実施するための形態】
【００３１】
以下、本発明の実施の形態について図面を参照しながら説明し、本発明の理解に供する。
図１は、本発明の巻取り器の一例を示す概略図である。また、図２は、本発明の巻取り器の概略分解図である。
【００３２】
本発明の巻取り器１は、２箇所が略９０°に湾曲して略Ｕ字形状を有する第１の金属製パイプ（第１の棒状部材の一例である。）２を備える。
また、第１の金属製パイプ２の第１の端部２Ｂには、第１の金属製パイプ２の直径方向に貫通したピン孔２Ｅが設けられている。
【００３３】
また、本発明の巻取り器１は、２箇所が略９０°に湾曲して略Ｕ字形状を有すると共に、第１の金属製パイプ２に対して立体交差して回動可能に結合した第２の金属製パイプ（第２の棒状部材の一例である。）３を備える。
【００３４】
また、本発明の巻取り器１は、中心に設けられた貫通孔５Ｂに第１の金属製パイプ２の第１の端部２Ｂを通して第１の金属製パイプ２に取付けられた、円柱形状のスペーサー５を備える。
【００３５】
また、本発明の巻取り器１は、中心に設けられた貫通孔に第１の金属製パイプ２を通して第１の金属製パイプ２の一端（第１の湾曲部２Ａと第１の端部２Ｂとの間の領域）に着脱可能に取付けられたリール４を備える。
【００３６】
スペーサー５の直径は、リール４の貫通孔の内径と略同じであり、スペーサー５は、第１の金属製パイプ２とリール４との間に配置されることになり、リール４の貫通孔の内径と第１の金属製パイプ２の直径との差を埋める役割をする。
【００３７】
また、スペーサー５には、リール４がスペーサー５の表面上に沿って、第１の湾曲部２Ａにまで移動しないようストッパーの役割をするフランジ５Ａが設けられている。ここで、フランジ５Ａの直径は、リール４の貫通孔の内径よりも大きい。
【００３８】
また、スペーサーは、リールの厚さの少なくとも半分の長さを有する。スペーサーの長さが、リールの厚さの半分未満の場合、例えば図９に示すように、リールが金属製パイプに対して傾いてしまい、一旦、リールの傾きを是正してからハンドルをリールに取付ける必要があるので面倒であるが、スペーサーが、リールの厚さの少なくとも半分の長さを有する場合は、このような心配がない。
【００３９】
なお、リールの傾きを考慮しない場合には、スペーサーの長さが、リールの厚さの半分未満であってもよい。
【００４０】
また、第１の金属製パイプ２の第１の湾曲部２Ａと第１の端部２Ｂとの間には、スペーサー５が第１の湾曲部２Ａにまで移動しないようにするストッパー２Ｆが設けられている。
【００４１】
また、本発明の巻取り器１は、貫通孔６Ｃに第１の金属製パイプ２を通して第１の金属製パイプ２に取付けられると共に、リール４の貫通孔に嵌合する円柱形状の取付け凸部６Ａを有するハンドル６を備える。
また、取付け凸部６Ａの直径は、リール４の貫通孔の内径と略同じである。
【００４２】
また、リール４には、ハンドル６の円柱形状の引掛け凸部６Ｂが挿入される引掛け凹部が設けられており、引掛け凸部６Ｂが引掛け凹部に挿入されることで、ハンドル６を回転方向１３に回転させると、リール４も第１の金属製パイプ２を中心として回転方向１３に回転する。
【００４３】
また、第１の金属製パイプ２をリール４の貫通孔に通して、スペーサー５とリール４の貫通孔を嵌合させると共に、ハンドル６の取付け凸部６Ａを、リール４の貫通孔に嵌合し、さらに第１の金属製パイプ２をハンドル６の貫通孔６Ｃに通した状態で、第１の金属製パイプ２の第１の端部２Ｂは露出するので、ピン孔２Ｅに留めピン８を挿入することで、ハンドル６や、リール４が、第１の金属製パイプ２から抜け落ちることを防止している。
【００４４】
また、第１の金属製パイプ２と第２の金属製パイプ３は、略Ｘ字状に立体交差して結合している。具体的には例えば、図２に示すように、第１の金属製パイプ２に設けられた貫通孔である第１の取付け孔２Ｇに、第１の取付けボルト１０を挿通し、さらに三角形のプレート９に設けられた貫通孔である第１のプレート孔９Ａに、第１の取付けボルト１０を挿通し、そして第２の金属製パイプ３に設けられた貫通孔である第３の取付け孔３Ｅにも第１の取付けボルト１０を挿通して、第１の取付けボルト１０を第１の取付けナット１０Ａで固定する。
【００４５】
また、図２に示すように、プレート９に設けられた貫通孔である第２のプレート孔９Ｂに、第２の取付けボルト１１を挿通し、さらに第１の金属製パイプ２に設けられた貫通孔である第２の取付け孔２Ｈに、第２の取付けボルト１１を挿通して、第２の取付けボルト１１を第２の取付けナット１１Ａで固定する。
【００４６】
即ち、第１の金属製パイプ２と第２の金属製パイプ３は、プレート９を介して互いに結合しており、プレート９は、２箇所で第１の金属製パイプ２と結合している。
【００４７】
また、プレート９には、貫通孔である第３のプレート孔９Ｃが設けられており、第３のプレート孔９Ｃに、留めボルト１２を挿通し、さらに第２の金属製パイプ３に設けられた貫通孔である第４の取付け孔３Ｆに、留めボルト１２を挿通し、留めボルト１２を留めつまみ１２Ａで固定する。
【００４８】
また、第１の金属製パイプ２の第２の端部２Ｄと、第２の金属製パイプ３の第３の端部３Ｂ及び第４の端部３Ｄは、カバー１４が取付けられている。
また、第３の端部３Ｂに取付けられたカバー１４は、作業者が手で掴むので、第２の金属製パイプ３の第３の湾曲部３Ａと第３の端部３Ｂとの間の領域の大部分を覆っている。
【００４９】
また、第１の金属製パイプ２の第１の湾曲部２Ａと第１の端部２Ｂとの間の領域に、スペーサー５やリール４が取付けられ、一方、第１の金属製パイプ２の第２の湾曲部２Ｃと第２の端部２Ｄとの間の領域は、地面に接する脚部となる。
【００５０】
また、第２の金属製パイプ３の第３の湾曲部３Ａと第３の端部３Ｂとの間の領域に、カバー１４が取付けられて、作業者が手で掴む箇所となるが、一方、第２の金属製パイプ３の第４の湾曲部３Ｃと第４の端部３Ｄとの間の領域は、地面に接する脚部となる。
【００５１】
図３は、図２で示された本発明の巻取り器の組み立てられた状態を示す概略図である。また、図４は、本発明の巻取り器の折りたたんだ状態を示す概略図である。
【００５２】
図３に示すように、留めつまみ１２Ａを回転させて留めボルト１２の固定を緩め、留めボルト１２を外す。すると、第２の金属製パイプ３は、第１の取付けボルト１０を軸にして回動できるようになる。
【００５３】
即ち、図４に示すように、第２の金属製パイプ３が回動して、第１の金属製パイプ２の第１の湾曲部２Ａと、第２の金属製パイプ３の第４の湾曲部３Ｃとの間の距離が縮まり、また、第１の金属製パイプ２の第２の湾曲部２Ｃと、第２の金属製パイプ３の第３の湾曲部３Ａとの間の距離が縮まる。
【００５４】
ここで、本発明の巻取り器は、略９０°に湾曲すると共に、リールが取付け可能に構成された第１の棒状部材と、略９０°に湾曲すると共に、第１の棒状部材に対して立体交差して回動可能に結合した第２の棒状部材とを備え、第１の棒状部材及び第２の棒状部材は、互いの湾曲部間の距離が変動するよう回動するのであれば、必ずしも第１の金属製パイプ（第１の棒状部材）及び第２の金属製パイプ（第２の棒状部材）は、略Ｕ字形状を有していなくてもよく、例えば略Ｌ字形状を有していてもよい。
【００５５】
しかし、第１の棒状部材及び第２の棒状部材がそれぞれ、略Ｕ字形状を有するのであれば、略Ｌ字形状を有するときよりも持ちやすく、また、リールを取付けやすいので好ましい。
【００５６】
図５は、本発明の巻取り器の他の例を示す概略図である。
図５に示す例は、図３に示した第２の湾曲部２Ｃの湾曲の度合いを大きくした（膨らんだ）例である。その他の点は、図３に示す巻取り器と同じである。
このように、略９０°に湾曲した湾曲部の湾曲の度合いを大きくすることで（略９０°に湾曲した湾曲部の湾曲をさらに膨らませることで）、さらに安定して巻取り器を立たせることができる。
【００５７】
以上のように、本発明の巻取り器は、略９０°に湾曲すると共に、リールが取付け可能に構成された第１の棒状部材（第１の金属製パイプ）と、略９０°に湾曲すると共に、第１の棒状部材に対して立体交差して回動可能に結合した第２の棒状部材（第２の金属製パイプ）とを備えるので、第１の棒状部材と第２の棒状部材とを略Ｘ字状に立体交差させて、巻取り器を地面に立たせた状態で置くことができる。
【００５８】
従って、本発明の巻取り器は、図６に示すように、地面に巻取り器を置いたり、地面に置いた巻取り器を持ち上げたりするときに、従来の巻取り器よりも腰を深く曲げずに済み、体に負担がかからない姿勢で、地面に置いたり、持ち上げたりできる。
【００５９】
また、第１の棒状部材及び第２の棒状部材は、互いの湾曲部間の距離が変動するよう回動するので、使用しないときには、互いの湾曲部間の距離を小さくして折りたたむことができる。
【００６０】
また、スペーサーが、リールの厚さの少なくとも半分の長さを有するのであれば、リールを支持する面積が、半分未満の長さを有するスペーサーよりも大きいため、リールが第１の棒状部材の一端に対して傾くことを防止でき、ハンドルをリールに取付けやすい。
【００６１】
また、留めピンに紐やリボンなどを取付けることで、草の生えた地面に落としても、すぐに見つけやすくなる。
【符号の説明】
【００６２】
１    巻取り器
２    第１の金属製パイプ
２Ａ  第１の湾曲部
２Ｂ  第１の端部
２Ｃ  第２の湾曲部
２Ｄ  第２の端部
２Ｅ  ピン孔
２Ｆ  ストッパー
２Ｇ  第１の取付け孔
２Ｈ  第２の取付け孔
３    第２の金属製パイプ
３Ａ  第３の湾曲部
３Ｂ  第３の端部
３Ｃ  第４の湾曲部
３Ｄ  第４の端部
３Ｅ  第３の取付け孔
３Ｆ  第４の取付け孔
４    リール
５    スペーサー
５Ａ  フランジ
５Ｂ  貫通孔
６    ハンドル
６Ａ  取付け凸部
６Ｂ  引掛け凸部
６Ｃ  貫通孔
７    電線
８    留めピン
９    プレート
９Ａ  第１のプレート孔
９Ｂ  第２のプレート孔
９Ｃ  第３のプレート孔
１０    第１の取付けボルト
１０Ａ  第１の取付けナット
１１    第２の取付けボルト
１１Ａ  第２の取付けナット
１２    留めボルト
１２Ａ  留めつまみ
１３    回転方向
１４    カバー
【図１】
2012250778.tif 000003
【図２】
2012250778.tif 000004
【図３】
2012250778.tif 000005
【図４】
2012250778.tif 000006
【図５】
2012250778.tif 000007
【図６】
2012250778.tif 000008
【図７】
2012250778.tif 000009
【図８】
2012250778.tif 000010
【図９】
2012250778.tif 000011
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
略９０°に湾曲すると共に、リールが取付け可能に構成された第１の棒状部材と、
略９０°に湾曲すると共に、前記第１の棒状部材に対して立体交差して回動可能に結合した第２の棒状部材と、
前記第１の棒状部材の一端に取付けられると共に、前記第１の棒状部材に取付けられるリールの厚さの少なくとも半分の長さを有するスペーサーとを備え、
前記第１の棒状部材及び前記第２の棒状部材は、互いの湾曲部間の距離が変動するよう回動する
巻取り器。
【請求項２】
前記第１の棒状部材及び前記第２の棒状部材はそれぞれ、略Ｕ字形状を有する
請求項１に記載の巻取り器。